(57)【要約】【課題】  流し台や調理台の開口部に組込む際に、電源コードを損傷したり、流し台や調理台に傷をつけたりすることのない加熱調理器を提供する。【解決手段】  内部に加熱部、該加熱部の駆動部、冷却ファン等が設けられ、後部側に電源コード１５が設けられて上面が開口した箱状の本体ケース２と、前面側に操作部２２を有する天板枠２１が外周に取付けられ、本体ケース２の上面開口部を覆って装着される天板２０とからなり、本体ケース２の前壁の下部に下方に向って後部側に傾斜する傾斜部５を設けた。【選択図】        図１
2006200837.tif 000002
【特許請求の範囲】
【請求項１】
内部に加熱部、該加熱部の駆動部、冷却ファン等が設けられ、後部側に電源コードが設けられて上面が開口した箱状の本体ケースと、前面側に操作部を有する天板枠が外周に取付けられ、前記本体ケースの上面開口部を覆って装着される天板とからなり、
前記本体ケースの前壁の下部に下方に向って後部側に傾斜する傾斜部を設けたことを特徴とする加熱調理器。
【請求項２】
前記傾斜部に代えて、本体ケースの前壁の下部にほぼＬ字状の凹部を設けたことを特徴とする請求項１記載の加熱調理器。
【請求項３】
前記本体ケースの前壁の下部に設けた傾斜部又は凹部に吸気口を設けたことを特徴とする請求項１又は２記載の加熱調理器。
【発明の詳細な説明】
【技術分野】
【０００１】
本発明は、流し台や調理台などに組込まれる加熱調理器に関するものである。
【背景技術】
【０００２】
この種の加熱調理器に、調理台の上面開口部に落し込まれる加熱調理器は、上面天面に天板枠で周囲を固定された非磁性材からなるトッププレートを載置し、下部本体ケースの内部には、加熱コイル、加熱コイルの駆動回路、冷却ファン等が設けられており、下部本体ケースの後面下方には先端部にプラグを有する電源コードが設けられている。
そして、設置工事時には、加熱調理器を調理台上に載置し、電源コードのプラグを調理台内に設けたコンセントに接続し、ついで、加熱調理器を持ち上げて前面側を下げ、下部本体ケースの前面側を開口部内に挿入したのち後面側を開口部に挿入してセットするようにしたものがある（例えば、特許文献１参照）。
【０００３】
また、内部に誘導加熱コイル、誘導加熱コイルの駆動部、冷却ファン等が設けられ、後部に先端部にプラグを有する電源コードが設けられた下部本体ケースと、周囲が天板枠に固定され下部本体ケースの上面開口部に取付けられる天板とからなる誘導加熱調理器を有し、電源コードのプラグを調理台に設けたコンセントに接続したのち、調理台の開口部に上方から下部本体ケースを挿入し、天板枠を調理台の上面に当接させてセットするようにしたものがある（例えば、特許文献２参照）。
【０００４】
【特許文献１】特開２００４−１２７５７７号公報
【特許文献２】特開２０００−２２３２５０号公報
【発明の開示】
【発明が解決しようとする課題】
【０００５】
特許文献１の加熱調理器は、調理台の開口部に設置する際、設置者が電源コードを目視できないため、調理台の開口部後方の角部と下部本体ケースとの間に電源コードを挟み込み、電源コードを損傷するおそれがあった。また、開口部に加熱調理器の前面側から挿入するので、作業性が悪いという問題があった。
また、特許文献２の誘導加熱調理器は、調理台の上部から開口部に挿入して設置する際、天板枠が下部本体ケースの外形より大きいため開口部の位置がわかりにくく、下部本体ケースの前面側角部により調理台を傷つけてしまうおそれがあった。
【０００６】
本発明は、上記の課題を解決するためになされたもので、流し台や調理台（以下、調理台という）の開口部に組込む際に、電源コードを損傷したり、調理台に傷をつけたりすることがない加熱調理器を提供することを目的としたものである。
【課題を解決するための手段】
【０００７】
本発明に係る加熱調理器は、内部に加熱部、該加熱部の駆動部、冷却ファン等が設けられ、後部側に電源コードが設けられて上面が開口した箱状の本体ケースと、前面側に操作部を有する天板枠が外周に取付けられ、前記本体ケースの上面開口部を覆って装着される天板とからなり、前記本体ケースの前壁の下部に下方に向って後部側に傾斜する傾斜部を設けたものである。
【発明の効果】
【０００８】
本発明によれば、調理台の開口部に組込む際に、電源コードを損傷したり、調理台に傷をつけたりすることがなく、その上組込作業性に優れた加熱調理器を得ることができる。
【発明を実施するための最良の形態】
【０００９】
［実施の形態１］
図１は本発明の実施の形態１に係る加熱調理器及び調理台の一部の斜視図、図２は図１の加熱調理器の上面図、図３は図２の側面図、図４は調理台に加熱調理器を組込んだ状態を示す模式的断面図である。
加熱調理器１を構成する本体ケース２は、有底で上面が開口された箱状に形成されており、周壁の上部外周にはフランジ３が設けられている。そして、前壁は鉛直平面である前面上部４と、この前面上部４から斜め後方に下方に向って傾斜した前面下部傾斜部５とによって形成され、前面下部傾斜部５には吸気口６が設けられている。７は後壁に設けた排気口である。
【００１０】
この本体ケース２内には、例えば誘導加熱コイル１１からなる１個又は複数個の加熱部１０、加熱部１０を駆動する駆動部（制御部）１２、調理鍋（図示せず）の温度を計測する温度検知装置１３、加熱部１０や駆動部１２を冷却する冷却ファン１４等が収容されている。１５は一端が駆動部１２等に接続され、他端にプラグ１６が設けられた電源コードである。
【００１１】
２０は例えばガラス板の如き非磁性材からなり、周囲に本体ケース２の外形より大きい天板枠２１が取付けられて、本体ケース２の開口部を覆うように装着された天板で、天板枠２１の前面側には複数の操作スイッチ２３ａ，２３ｂ，２３ｃを有する操作部２２が設けられており、後面側には本体ケース２の排気口７と連通する排気口２４を覆う排気カバー２５が設けられている。２６ａ，２６ｂは本体ケース２に設けた加熱部１０に対応して、天板２０の上面に印刷された調理鍋の載置部である。
【００１２】
３０は加熱調理器１を組込む調理台で、天面部３１、前面縦壁３２、その下に設けた扉３３、後部上壁３４、後部下壁３５からなり、天面部３１には加熱調理器１の本体ケース２の外形とほぼ等しい大きさの加熱調理器１が組込まれる開口部３６が設けられている。３７は後部下壁３５に設けられ、加熱調理器１の電源コード１５が接続される電源コンセントである。
【００１３】
次に、上記のような調理台３０に加熱調理器１を組込む手順の一例について説明する。
先ず、加熱調理器１を調理台３０の天面部３１上に載置し、電源コード１５のプラグ１６を調理台３０の後部下壁３５に設けた電源コンセント３７に接続する。ついで、図５に示すように、加熱調理器１を後部側を下方に、前部側を上方にして斜めに保持し、加熱調理器１の底部と調理台３０の開口部３６の間から、プラグ１６が電源コンセント３７に接続された電源コード１５が調理台３０内に位置しているかどうかを確認する。
【００１４】
電源コード１５が調理台３０内に位置していることを確認したときは、図６に示すように、加熱調理器１の本体ケース２を後部側を開口部３６内に挿入し、ついで前部側も開口部３６内に挿入して、天板枠２１を開口部３６の周縁の天面部３１の上面に当接させる。
このとき、本体ケース２の前面側には前面下部傾斜部５が設けられているので、開口部３６の前縁部に干渉することなく、本体ケース２を容易に開口部３６内に挿入することができる。
これにより、調理台３０への加熱調理器１の組込みが完了する。
【００１５】
上記のようにして調理台３０に組込まれた加熱調理器１により被調理物を調理する場合は、被調理物が入れられた調理鍋を、天板２０に設けた載置部（例えば、２６ａ）上に載置する。そして、操作部２２の電源スイッチ２３ａをＯＮし、ついで、ＯＮ／ＯＦＦスイッチ２３ｂをＯＮすると、駆動部１２を介して電磁誘導コイル１１に通電されると共に、冷却ファン１４に通電される。
【００１６】
これにより、調理鍋が電磁誘導コイル１１の磁気作用により発熱し、被調理物が加熱されて調理される。調理にあたっては、操作部２２の火力調整スイッチ２３ｃにより、火力を強めたり弱めたりして調整することができる。このとき、冷却ファン１４の駆動により外気が吸引され、本体ケース２の前面下部傾斜部５に設けた吸気口６から本体ケース２内に流入し、加熱部１０や駆動部１２を冷却したのち、排気口７，２４から排気カバー２５を経て外部に排出される。
【００１７】
本実施の形態は、調理台３０に組込む際に加熱調理器１を前面側を上にして斜めに保持し、ついで、本体ケース２を後部側から開口部３６内に挿入するようにしたので、電源コンセント３７に接続された電源コード１５の位置を容易かつ確実に確認することができるため、電源コード１５を損傷することがない。また、本体ケース２の前壁に前面下部傾斜部５を設けたので、前面側を開口部３６内に挿入する際にその縁部に干渉することがなく容易に挿入することができ、天面部３１や開口部３６の縁部を傷つけることもない。このため、組込作業性にすぐれた加熱調理器１を得ることができる。
【００１８】
［実施の形態２］
図７は本発明の実施の形態２に係る加熱調理器を調理台に組込んだ状態を示す断面図である。なお、実施の形態１と同じ部分にはこれと同じ符号を付し、説明を省略する。
本実施の形態は、実施の形態１において本体ケース２に設けた前面下部傾斜部５に代えて、本体ケース２の前面上部４の下端部から後部側に水平に延設された水平部８ａと、この水平部８ａの後端部から下方に垂下して底部に連続する鉛直部８ｂとにより、ほぼＬ字の段落した凹部８（以下、前面下部凹部という）を形成し、この前面下部凹部８に吸気口６を設けたものである。
本実施の形態に係る加熱調理器１の調理台３０への組込手順、調理手順、効果等は実施の形態１の場合と同様である。
【００１９】
［実施の形態３］
本実施の形態は、実施の形態１、２で説明した調理台３０とは構造の異なる調理台３０に、実施の形態１又は２に係る加熱調理器１を組込んだものである。
図８は調理台３０の開口部３６の前縁部に、加熱調理器１の本体ケース２の底部近傍に達する縦壁３８が設けられたものであり、図９は開口部３６の下部に天面板３１と平行に、本体ケース２の前面上部４の近傍に達する仕切り板３９が設けられたものである。
【００２０】
このように縦壁３８又は仕切り板３９が設けられた調理台３０に加熱調理器１を組込んだ場合でも、本発明に係る加熱調理器１は、本体ケース１の前面下部傾斜部５又は前面下部凹部８に吸気口６が設けられているので、縦壁３８又は仕切り板３９によって吸気口６が塞がれることがなく、外気を吸引して加熱部１０や駆動部１２を冷却することができる。このため本体ケース２内の温度上昇により火力が低下したり、運転に支障を来したりすることがない。
【図面の簡単な説明】
【００２１】
【図１】本発明の実施の形態１に係る加熱調理器及び調理台の一部の斜視図である。
【図２】図１の加熱調理器の上面図である。
【図３】図２の側面図である。
【図４】調理台に加熱調理器を組込んだ状態を示す模式的断面図である。
【図５】調理台に加熱調理器を組込む手順の説明図である。
【図６】調理台に加熱調理器を組込む手順の説明図である。
【図７】本発明の実施の形態２に係る加熱調理器を調理台に組込んだ状態を示す模式的断面図である。
【図８】本発明の実施の形態１に係る加熱調理器を構造の異なる調理台に組込んだ状態を示す模式的断面図である。
【図９】本発明の実施の形態１に係る加熱調理器を構造の異なる調理台に組込んだ状態を示す模式的断面図である。
【符号の説明】
【００２２】
１  加熱調理器、２  本体ケース、４  前面上部、５  前面下部傾斜部、６  吸気口、８  前面下部凹部、１５  電源コード、２０  天板、２１  天板枠、２２  操作部、３０  調理台、３１  天面部、３６  開口部、３７  電源コンセント。
【図１】
2006200837.tif 000003
【図２】
2006200837.tif 000004
【図３】
2006200837.tif 000005
【図４】
2006200837.tif 000006
【図５】
2006200837.tif 000007
【図６】
2006200837.tif 000008
【図７】
2006200837.tif 000009
【図８】
2006200837.tif 000010
【図９】
2006200837.tif 000011